(57)【特許請求の範囲】
【請求項１】
両面印刷を行なう場合に、時間軸上に印刷の頁単位で交互に並べて設定される第１印刷期間と第２印刷期間に対して、前記第１印刷期間で用紙の第１面に画像を印刷するとともに、前記第２印刷期間で用紙の第２面に画像を印刷する画像形成装置であって、
前記両面印刷で給紙される用紙の合計枚数ｎが当該両面印刷で印刷を開始してから１枚目の用紙の第２面に画像を印刷するまでに給紙される用紙の枚数と同一であり、かつ前記ｎ枚目の用紙の第１面に画像を印刷してから前記１枚目の用紙の第２面に画像を印刷するまでに２頁分以上の空き印刷期間が存在する条件を満たす場合に、前記１枚目から前記ｎ枚目までの用紙の第１面に画像を印刷した後、前記第１印刷期間と前記第２印刷期間の並び順を入れ替えて、前記１枚目から前記ｎ枚目までの用紙の第２面に画像を印刷するように制御する画像形成制御手段を備える
ことを特徴とする画像形成装置。
【請求項２】
請求項１記載の画像形成装置において、
前記画像形成制御手段は、前記ｎ枚目の用紙の第２面に画像を印刷する時刻を通常処理の場合よりも早く設定する
ことを特徴とする画像形成装置。
【請求項３】
請求項２記載の画像形成装置において、
用紙の両面に画像を印刷するための両面印刷用搬送部を備え、
前記画像形成制御手段は、前記ｎ枚目の用紙の第２面に画像を印刷する場合に、前記両面印刷用搬送部で用紙を一時停止させる時間を前記通常処理の場合よりも短くするか、前記両面印刷用搬送部で用紙を一時停止させることなく、前記ｎ枚目の用紙を搬送するように制御する
ことを特徴とする画像形成装置。
【請求項４】
請求項２記載の画像形成装置において、
用紙の両面に画像を印刷するための両面印刷用搬送部を備え、
前記画像形成制御手段は、前記ｎ枚目の用紙の第２面に画像を印刷する場合に、前記両面印刷用搬送部で前記通常処理よりも高速に用紙を搬送するように制御する
ことを特徴とする画像形成装置。
【発明の詳細な説明】
【技術分野】
【０００１】
本発明は、画像形成装置に関する。
【背景技術】
【０００２】
電子写真式の画像形成装置では、感光体や中間転写体等の像保持体で保持した画像を用紙に印刷（転写・定着）するにあたって、時間軸上に印刷（画像データ）の頁単位で印刷期間を設定し、この印刷期間を利用して、用紙に画像を印刷している。また、両面印刷機能を備える画像形成装置では、上記印刷期間を第１印刷期間と第２印刷期間に分類し、第１印刷期間で用紙の第１面に画像を印刷し、かつ第２印刷期間で用紙の第２面に画像を印刷している。この種の画像形成装置には、使用者が印刷開始を指示してから１枚目の印刷済み用紙が排出されるまでの所要時間（以下、「１枚目印刷所要時間」と記す）や、使用者が印刷開始を指示してから最後の印刷済み用紙が排出されるまでの所要時間（以下、「印刷総所要時間」とも記す）を短縮することが求められている。
【０００３】
例えば、下記特許文献１には、印刷枚数が少ない場合は、トレイからの給紙間隔を変えることで、印刷総所要時間を減らす技術が開示されている。また、下記特許文献２，３には、用紙搬送速度を一時的に速く切り替えて、印刷枚数が少ない場合の印刷総所要時間を減らす技術が開示されている。また、下記特許文献４には、感光体を逆転転写可能として、逆転転写により搬送時間を減らす技術が開示されている。
【０００４】
【特許文献１】特開２００２−３５１１５８号公報
【特許文献２】特開平０６−３２１４３６号公報
【特許文献３】特開平０７−３２５４６２号公報
【特許文献４】特開平０５−０８８４７９号公報
【発明の開示】
【発明が解決しようとする課題】
【０００５】
本発明は、両面印刷で１枚目印刷所要時間と印刷総所要時間を共に短縮することができる画像形成装置を提供することを目的とする。
【課題を解決するための手段】
【０００６】
請求項１に記載の発明は、両面印刷を行なう場合に、時間軸上に印刷の頁単位で交互に並べて設定される第１印刷期間と第２印刷期間に対して、前記第１印刷期間で用紙の第１面に画像を印刷するとともに、前記第２印刷期間で用紙の第２面に画像を印刷する画像形成装置であって、前記両面印刷で給紙される用紙の合計枚数ｎが当該両面印刷で印刷を開始してから１枚目の用紙の第２面に画像を印刷するまでに給紙される用紙の枚数と同一であり、かつ前記ｎ枚目の用紙の第１面に画像を印刷してから前記１枚目の用紙の第２面に画像を印刷するまでに２頁分以上の空き印刷期間が存在する条件を満たす場合に、前記１枚目から前記ｎ枚目までの用紙の第１面に画像を印刷した後、前記第１印刷期間と前記第２印刷期間の並び順を入れ替えて、前記１枚目から前記ｎ枚目までの用紙の第２面に画像を印刷するように制御する画像形成制御手段を備えることを特徴とする。
【０００７】
請求項２に記載の発明は、請求項１記載の画像形成装置において、前記画像形成制御手段は、前記ｎ枚目の用紙の第２面に画像を印刷する時刻を通常処理の場合よりも早く設定することを特徴とする。
【０００８】
請求項３に記載の発明は、請求項２記載の画像形成装置において、用紙の両面に画像を印刷するための両面印刷用搬送部を備え、前記画像形成制御手段は、前記ｎ枚目の用紙の第２面に画像を印刷する場合に、前記両面印刷用搬送部で用紙を一時停止させる時間を前記通常処理の場合よりも短くするか、前記両面印刷用搬送部で用紙を一時停止させることなく、前記ｎ枚目の用紙を搬送するように制御することを特徴とする。
【０００９】
請求項４に記載の発明は、請求項２記載の画像形成装置において、用紙の両面に画像を印刷するための両面印刷用搬送部を備え、前記画像形成制御手段は、前記ｎ枚目の用紙の第２面に画像を印刷する場合に、前記両面印刷用搬送部で前記通常処理よりも高速に用紙を搬送するように制御することを特徴とする。
【発明の効果】
【００１０】
請求項１に記載の発明によれば、本構成を有しない場合に比較して、両面印刷で１枚目印刷所要時間と印刷総所要時間を共に短縮することができる。
【００１１】
請求項２に記載の発明によれば、両面印刷で印刷総所要時間を更に短縮することができる。
【００１２】
請求項３に記載の発明によれば、ｎ枚目の用紙の第２面に画像を印刷する時刻を通常処理の場合よりも早く設定することができる。
【００１３】
請求項４に記載の発明によれば、ｎ枚目の用紙の第２面に画像を印刷する時刻を通常処理の場合よりも早く設定することができる。
【発明を実施するための最良の形態】
【００１４】
以下、本発明の具体的な実施の形態について図面を参照しつつ詳細に説明する。
【００１５】
図１は本発明が適用される電子写真式の画像形成装置の構成例を示す概略図である。画像形成装置１は、大きくは、画像読取装置２と、画像形成部３と、用紙搬送装置４とを備えた構成となっている。
【００１６】
画像読取装置２は、原稿の画像を読み取るものである。画像形成部３は、画像読取装置２によって読み取られた原稿の画像データや外部の端末装置（例えば、パーソナルコンピュータ）から送られた画像データに基づいて、記録媒体となる用紙に画像を形成（印刷）するものである。用紙搬送装置４は、画像の印刷に使用される用紙を搬送するものである。画像読取装置２は、画像形成装置本体５の上部に設けられている。画像形成部３は、画像形成装置本体５の内部に設けられている。用紙搬送装置４は、一部を除いて画像形成装置本体５の内部に設けられている。なお、画像形成装置１で画像の印刷に使用される用紙には、紙製のシート以外にも、ＯＨＰシートなどのプラスチック製のシートも含まれる。
【００１７】
画像読取装置２は、自動原稿搬送装置６を搭載する原稿押さえ部材７と、画像読取部８とを備えている。自動原稿搬送装置６は、被読取媒体となる原稿を１枚ずつ読取位置を経由するように搬送するものである。原稿押さえ部材７は、原稿台にセットされた原稿を上から押さえるもので、画像形成装置本体５の最上部に開閉自在に設けられている。画像読取部８は、原稿台にセットされた原稿の画像や自動原稿搬送装置６によって読取位置に搬送された原稿の画像を光学的に読み取るもので、例えば図示しない光源、ミラー、レンズ、撮像素子等を用いて構成される。
【００１８】
画像形成部３は、イエロー、マゼンタ、シアン、ブラックの各色に対応する４つの感光体ドラム９，１０，１１，１２と、各々の感光体ドラム９〜１２に対応する４つの一次転写ロール１３，１４，１５，１６と、中間転写体となる無端状の中間転写ベルト１７とを備えた４連タンデム式のマシン構成となっている。
【００１９】
各々の感光体ドラム９〜１２の周囲には、帯電器、潜像形成装置、現像器、クリーナー等が配置されている。帯電器は、感光体ドラムの表面を一様に帯電するものである。潜像形成装置は、帯電器によって帯電された感光体ドラムの表面をレーザ光で露光走査することにより、感光体ドラムの表面に静電潜像を形成するものである。現像器は、二成分現像剤に含まれるトナーを感光体ドラムの表面に供給することにより、静電潜像をトナー画像に現像するものである。クリーナーは、感光体ドラムに残留する不要なトナーを除去するものである。
【００２０】
一次転写ロール１３〜１６は、それぞれに対応する感光体ドラム９〜１２の近傍に中間転写ベルト１７を介して対向する状態に配置されている。これらの一次転写ロール１３〜１６は、上述のように感光体ドラム９〜１２に形成されたトナー画像を中間転写ベルト１７に転写（一次転写）するものである。
【００２１】
中間転写ベルト１７は、像保持体として設けられたものである。中間転写ベルト１７は、複数のベルト支持ロールによってループ状に支持されている。中間転写ベルト１７のループ途中には転写部１８が設けられている。中間転写ベルト１７は、当該中間転写ベルト１７の走行経路上で反時計回り方向に走行するものとなっている。転写部１８は、中間転写ベルト１７から用紙に画像の転写が行なわれる部分である。転写部１８は、一方のロールを二次転写ロールとし、他方のロールをベルト支持ロールとして、中間転写ベルト１７を挟み込む一対のロールを用いて構成されている。二次転写ロールは、前述のように中間転写ベルト１７に形成されたトナー画像を用紙に転写（二次転写）するものである。
【００２２】
また、画像形成部３は定着部１９を有している。定着部１９は、転写部１８で用紙に転写されたトナー画像を定着させるものである。定着部１９は、例えば一方のロールをヒータ内蔵の加熱ロールとし、他方のロールを加圧ロールとした一対のロールを用いて構成されている。
【００２３】
用紙搬送装置４は、上下に多段に配置された４つの用紙収容部２１，２２，２３，２４と、各々の用紙収容部２１〜２４から用紙を給紙する給紙部２５と、給紙部２５によって給紙された用紙を下から上に向けて垂直に搬送する垂直搬送部２６と、垂直搬送部２６によって搬送された用紙を転写時刻に合わせて転写部１８に送り込むレジスト部２７と、転写部１８を通過した用紙を定着部１９に送り込むバキューム搬送部２８と、定着部１９から送り出された用紙をスイッチバックで反転させる反転搬送部２９と、反転搬送部２９で反転させた用紙を再び給紙するために搬送する再給紙搬送部３０と、片面印刷又は両面印刷を終えた用紙を排出する排出部３１と、排出部３１で排出された用紙を積載状態で収容する排出収容部３２と、画像の印刷に使用する用紙を手差しで供給するための手差し供給装置３３とを備えている。このうち、レジスト部２７は、一対のレジストロールを用いて構成され、排出部３１は、一対の排出ロールを用いて構成されている。反転搬送部２９及び再給紙搬送部３０は、両面印刷用搬送部として設けられたものである。
【００２４】
次に、上記構成からなる画像形成装置１の基本的な動作について説明する。
【００２５】
先ず、画像読取装置２によって原稿の画像が読み取られると、これによって得られた画像データを基に画像形成部３でトナー画像が形成される。画像形成部３では、４つの感光体ドラム９〜１２を回転駆動しつつ、それぞれに対応する帯電器、潜像形成装置、現像器によって各感光体ドラム９〜１２の表面にイエロー、マゼンタ、シアン、ブラックのトナー画像が形成される。このように形成された各色のトナー画像は、一次転写ロール１３〜１６によって順次、中間転写ベルト１７に重ね転写される。これにより、中間転写ベルト１７には、４色のトナーを重ね合わせた多色（フルカラー）のトナー画像が形成される。このように中間転写ベルト１７に形成されたトナー画像は、当該中間転写ベルト１７に保持されて転写部１８に送り込まれる。ここではカラー印刷の場合を想定しているが、白黒印刷の場合はブラックのトナー画像だけを中間転写ベルト１７に転写することになる。
【００２６】
一方、画像形成装置１の操作パネル等を用いて使用者により選択された用紙や、自動選択機能によって選択された用紙、あるいは手差し供給装置３３から供給された用紙は、予め設定された転写時刻に転写部１８に到達するように、当該転写時刻に合わせてレジスト部２７から転写部１８へと送り込まれる。例えば、使用者が選択した用紙が最上段の用紙収容部２１に収容された用紙であるとすると、この用紙収容部２１から給紙部２５によって用紙が給紙されるとともに、当該給紙された用紙が垂直搬送部２６を経由してレジスト部２７に送り込まれる。そして、レジスト部２７では、例えば、回転停止状態とされたレジストロールへの突き当てによって用紙の姿勢（傾き等）を修正した後、上記転写時刻に合わせてレジストロールの回転を開始することにより、転写部１８に用紙を送り込む。
【００２７】
一方、各々の一次転写ロール１３〜１６によって中間転写ベルト１７に転写されたトナー画像は、当該中間転写ベルト１７の回転にしたがって転写部１８へと送り込まれる。このとき、予め設定された転写時刻でトナー画像が転写部１８に到達するように、各々の感光体ドラム９〜１２に対する静電潜像の書き込み開始時刻が制御される。そして、転写部１８においては、予め設定された転写時刻に合わせてトナー画像と用紙を同時に到達させるとともに、中間転写ベルト１７から用紙へとトナー画像を転写する。
【００２８】
こうして中間転写ベルト１７に保持されたトナー画像は、転写部１８で用紙に転写（二次転写）される。その後、用紙はバキューム搬送部２８によって定着部１９に送られ、そこでトナー画像の定着処理が施される。これ以降の動作は、画像形成モードが片面印刷モードの場合と両面印刷モードの場合で異なる。
【００２９】
片面印刷モードとは、用紙の片面に画像を印刷する場合に適用される画像形成モードである。両面印刷モードとは、用紙の両面に画像を印刷する場合に適用される画像形成モードである。片面印刷モードで動作する場合は、上述のように定着器１９でトナー画像の定着処理を行なった用紙を、排出部３１から排出収容部３２へと排出する。
【００３０】
両面印刷モードで動作する場合は、片面印刷を終えた用紙を反転搬送部２９に送り込んだ後、再給紙搬送部３０を経由して再びレジスト部２７に用紙を送り込む。したがって、反転搬送部２９及び再給紙搬送部３０は、用紙の両面に画像を印刷するための搬送部となる。以降は、片面印刷の場合と同様の手順で用紙にトナー画像を転写・定着した後、用紙の排出を行なう。また、定着部１９から送り出された用紙の表裏を反転して排出する場合は、定着部１９から反転搬送部２９を経由して排出部３１へと用紙を送り出す。
【００３１】
図２は本発明の実施形態に係る画像形成装置の制御構成の一例を示すブロック図である。
【００３２】
画像形成制御部４１は、画像形成装置１全体の処理動作を統括的に制御するものである。画像形成制御部４１には、操作パネル４２と、画像処理部４３と、用紙検知センサ４４と、給紙用モータ４５と、搬送用モータ４６と、反転用モータ４７と、再給紙用モータ４８と、搬送路切り替え用ソレノイド４９とが接続されている。
【００３３】
操作パネル４２は、画像形成装置１を使用する使用者が各種の情報を入力したり、使用者に対して各種の情報を表示したりするためのインターフェースとなるものである。操作パネル４２は、例えば、各種のボタン、スイッチ、キー等を有する入力部と、タッチパネル付きの液晶ディスプレイからなる表示部とによって構成されるものである。
【００３４】
画像処理部４３は、画像読取装置２によって読み取られた原稿の画像データや、外部の端末装置から送られた画像データに対して、所定の画像処理を施すことにより、当該画像データを印刷用のデータに変換するものである。
【００３５】
用紙検知センサ４４は、用紙搬送装置４が備える用紙搬送路上で用紙の通過（先端通過、後端通過）を検知するものである。用紙検知センサ４４は、用紙搬送路の適所に分散して設けられる。用紙検知センサ４４は、例えば発光素子と受光素子を同一のセンサ面に設けた反射型のフォトセンサからなるもので、センサ面と近接して対向する位置（以下、「センサ検知位置」と記す）に用紙が存在するときはオン状態となり、用紙が存在しないときはオフ状態となる。
【００３６】
したがって、用紙検知センサ４４は、センサ検知位置を用紙の先端が通過した際にはオフ状態からオン状態に切り替わり、その後、センサ検知位置を用紙の後端が通過した際にはオン状態からオフ状態に切り替わる。ちなみに、用紙の先端とは、用紙搬送路上で用紙搬送方向の下流側を向いて配置される用紙端をいい、用紙の後端とは、用紙搬送路上で用紙搬送方向の上流側を向いて配置される用紙端をいう。
【００３７】
給紙用モータ４５は、画像形成装置本体５内の各用紙収容部２１〜２４から用紙を個別に給紙するための駆動源となるものである。搬送用モータ４６は、各々の用紙収容部２１〜２４から給紙された用紙や手差し供給装置３３から供給された用紙を、垂直搬送部２６、レジスト部２７、転写部１８、バキューム搬送部２８を順に経由して、定着部１９へと搬送するための駆動源となるものである。反転用モータ４７は、反転搬送部２９で用紙を反転させるための駆動源となるものである。再給紙用モータ４８は、再給紙搬送部３０で用紙を搬送するための駆動源となるものである。各々のモータ４５，４６，４７，４８は、必要に応じて複数個ずつ設けられるものである。また、搬送用モータ４６は、レジスト部２７の駆動源となるレジモータを含むものである。
【００３８】
搬送路切り替え用ソレノイド４９は、用紙搬送路が分岐する部分（定着部１９の下流側）で、用紙の進行方向を切り替えるための駆動源となるものである。
【００３９】
図３は本発明の実施形態に係る画像形成装置の処理動作の一例を示すフローチャートである。このフローチャートは、外部の端末装置から送られる画像データに基づいて用紙に画像を印刷する場合を想定している。
【００４０】
まず、外部の端末装置からの印刷開始命令を受けると、画像形成制御部４１は、給紙用モータ４５及び搬送用モータ４６を駆動して、端末装置の使用者（操作者）が指定した用紙（又は自動で選択された用紙）の搬送を開始する（ステップＳ１）。例えば、使用者が指定した用紙が、最上段から２段目の用紙収容部２２に収容された用紙であるとすると、この用紙収容部２２から給紙部２５によって用紙を給紙するとともに、当該給紙した用紙を垂直搬送部２６によって搬送するように制御する。
【００４１】
次に、画像形成制御部４１は、画像形成モードが両面印刷モードで指定されているかどうかを判断する（ステップＳ２）。画像形成モードの指定は、外部の端末装置を用いた使用者の操作によって行なわれる。例えば、外部の端末装置で使用者が両面印刷を選択して画像データを画像形成装置１に送信した場合は、その選択指示に基づいて、画像形成制御部４１は、画像形成モードが両面印刷モードに指定されていると判断する。また、外部の端末装置で使用者が片面印刷を選択して画像データを画像形成装置１に送信した場合は、その選択指示に基づいて、画像形成制御部４１は、画像形成モードが片面印刷モードに指定されていると判断する。ちなみに、コピー処理では、画像形成モードの指定が操作パネル４２を用いて行なわれる。
【００４２】
上記ステップＳ２において、画像形成モードが両面印刷モードに設定されていないと判断すると、画像形成制御部４１は、片面印刷処理に移行する。片面印刷処理では、給紙部２５によって給紙された用紙の片面に転写部１８でトナー画像を転写した後、バキューム搬送部２８を経由して用紙を定着部１９に送り込み、そこでトナー画像を用紙に定着した後、排出部３１から排出収容部３２へと用紙を排出する。また、複数頁分の画像データを印刷する場合は、その頁数に応じて給紙される複数枚の用紙の片面にそれぞれに対応するページの画像を順に印刷する。
【００４３】
また、上記ステップＳ２において、画像形成モードが両面印刷モードに設定されていると判断すると、画像形成制御部４１は、次のような手順で両面印刷処理を行なう。まず、画像形成制御部４１は、今回の両面印刷で給紙される用紙の合計枚数（以下、「給紙合計枚数」と記す）が、予め設定された所定枚数以下であるかどうかを判断する（ステップＳ３）。給紙合計枚数は、今回の両面印刷で使用される用紙の合計枚数となる、給紙合計枚数は、主として、画像データの頁数に応じて決まる。例えば、画像データの頁数が４頁であれば、給紙合計枚数が２枚となり、画像データの頁数が１０頁であれば、給紙合計枚数が５枚となる。ただし、用紙の第１面と第２面にそれぞれ２頁分ずつ画像データを並べて印刷する場合は、画像データの総頁数の１／４相当が給紙合計枚数となる。
【００４４】
ここで、上記ステップＳ３で適用される所定枚数の設定について説明する。一般に、両面印刷を行なう場合は、第１印刷期間と第２印刷期間を時間軸上に交互に並べて設定し、第１印刷期間で用紙の第１面に画像を印刷するとともに、第２印刷期間で用紙の第２面に画像を印刷する。印刷期間とは、用紙に画像を印刷するにあたって印刷の頁単位に設定される期間である。印刷の頁単位とは、印刷の対象となる画像データの頁単位と同じ意味である。印刷期間の長短は、画像の印刷に使用される用紙のサイズ（用紙搬送方向の用紙長さ）に応じて設定される。すなわち、用紙のサイズが大きい場合は、印刷期間が相対的に長く設定され、用紙のサイズが小さい場合は、印刷期間が相対的に短く設定される。
【００４５】
用紙の第１面とは、両面印刷用に給紙された用紙に対して画像形成装置１が最初に画像を印刷する面をいい、その反対側の面が第２面となる。第１印刷期間とは、印刷の頁単位に設定される印刷期間のうち、両面印刷で用紙の第１面に画像を印刷するために設定される印刷期間をいい、第２印刷期間とは、印刷の頁単位に設定される印刷期間のうち、両面印刷で用紙の第２面に画像を印刷するために設定される印刷期間をいう。また、両面印刷では、印刷の頁単位に設定される印刷期間のうち、用紙に画像が印刷されない空きの印刷期間（以下、「空き印刷期間」と記す）も存在する。片面印刷では、基本的に空き印刷期間を設けずに、用紙の片面に画像を形成する。
【００４６】
そうした場合、上述した所定枚数は、今回の両面印刷に適用される給紙合計枚数ｎが当該両面印刷で印刷を開始してから１枚目の用紙の第２面に画像を印刷するまでに給紙される用紙の枚数と同一であり、かつｎ枚目の用紙の第１面に画像を印刷してから１枚目の用紙の第２面に画像を印刷するまでに２頁分以上の空き印刷期間が存在する条件を満たすかどうかの判断基準として設定される。すなわち、給紙合計枚数が所定枚数以下である場合は、上記条件を満たし、給紙合計枚数が所定枚数を超える場合は、上記条件を満たさないものとなる。
【００４７】
ここで、両面印刷の具体的な例を、図４（Ａ）〜（Ｄ）を用いて説明する。図４において、時間軸上の「Ｐ１」は第１印刷期間、「Ｐ２」は第２印刷期間をそれぞれ示し、時間軸方向に複数並んだ四角い枠内の数字は印刷頁番号を示している。また、用紙の「表面」を第１面、用紙の裏面を「第２面」としている。さらに、給紙部２５によって給紙される順序にしたがって１枚目の用紙、２枚目の用紙、３枚目の用紙、４枚目の用紙、…と区別するものとする。なお、図４に示す処理例は、本発明の実施形態に係る画像形成装置１の構成を説明するための処理例である。
【００４８】
図４（Ａ）に示すように、両面印刷での給紙合計枚数が１枚の場合は、給紙部２５によって給紙された１枚目の用紙の表面に第１印刷期間Ｐ１で１頁目の画像を印刷した後、４頁分の空き印刷期間をあけて再給紙搬送部３０から給紙された１枚目の用紙の裏面に第２印刷期間Ｐ２で２頁目の画像を印刷する。
【００４９】
この場合は、給紙合計枚数が１枚で、印刷を開始してから１枚目の用紙の裏面に画像を印刷するまでに給紙部２５によって給紙される用紙の枚数も１枚となる。また、１枚目の用紙の表面に画像を印刷してから、１枚目の用紙の裏面に画像を形成するまでに４頁分の空き印刷期間が存在する。このため、上記条件を満たすものとなる。
【００５０】
図４（Ｂ）に示すように、両面印刷での給紙合計枚数が２枚の場合は、給紙部２５によって給紙された１枚目の用紙の表面に第１印刷期間Ｐ１で１頁目の画像を印刷した後、１枚目の用紙との間に１頁分の空き印刷期間をあけて給紙部２５により給紙された２枚目の用紙の表面に第１印刷期間Ｐ１で３頁目の画像を印刷する。その後、２頁分の空き印刷期間をあけて再給紙搬送部３０から給紙された１枚目の用紙の裏面に第２印刷期間Ｐ２で２頁目の画像を印刷した後、１頁分の空き印刷期間をあけて再給紙搬送部３０から給紙された２枚目の用紙の裏面に第２印刷期間Ｐ２で４頁目の画像を印刷する。
【００５１】
この場合は、給紙合計枚数が２枚で、印刷を開始してから１枚目の用紙の裏面に画像を印刷するまでに給紙部２５によって給紙される用紙の枚数も２枚となる。また、２枚目の用紙の表面に画像を印刷してから、１枚目の用紙の裏面に画像を形成するまでに２頁分の空き印刷期間が存在する。このため、上記条件を満たすものとなる。
【００５２】
図４（Ｃ）に示すように、両面印刷での給紙合計枚数が３枚の場合は、給紙部２５によって給紙された１枚目の用紙の表面に第１印刷期間Ｐ１で１頁目の画像を印刷した後、１枚目の用紙との間に１頁分の空き印刷期間をあけて給紙部２５により給紙された２枚目の用紙の表面に第１印刷期間Ｐ１で３頁目の画像を印刷する。次に、２枚目の用紙との間に１頁分の空き印刷期間をあけて給紙部２５により給紙された３枚目の用紙の表面に第１印刷期間Ｐ１で５頁目の画像を印刷した後、１枚目の用紙の裏面に第２印刷期間Ｐ２で２頁目の画像を印刷する。その後、１頁分の空き印刷期間をあけて再給紙搬送部３０から給紙された２枚目の用紙の裏面に第２印刷期間Ｐ２で４頁目の画像を印刷した後、１頁分の空き印刷期間をあけて再給紙搬送部３０から給紙された３枚目の用紙の裏面に第２印刷期間Ｐ２で６頁目の画像を印刷する。
【００５３】
この場合は、給紙合計枚数が３枚で、印刷を開始してから１枚目の用紙の裏面に画像を印刷するまでに給紙される用紙の枚数も３枚となる。ただし、３枚目の用紙の表面に画像を印刷してから、１枚目の用紙の裏面に画像を形成するまでに空き印刷期間が存在しない。このため、上記条件を満たさないものとなる。
【００５４】
ただし、両面印刷での給紙合計枚数が３枚であっても、図４（Ｄ）に示す方式で両面印刷を行なう場合は、上記の条件を満たすものとなる。すなわち、給紙部２５によって給紙された１枚目の用紙の表面に第１印刷期間Ｐ１で１頁目の画像を印刷した後、１枚目の用紙との間に１頁分の空き印刷期間をあけて給紙部２５により給紙された２枚目の用紙の表面に第１印刷期間Ｐ１で３頁目の画像を印刷する。次に、２枚目の用紙との間に１頁分の空き印刷期間をあけて給紙部２５により給紙された３枚目の用紙の表面に第１印刷期間Ｐ１で５頁目の画像を印刷した後、２頁分の空き印刷期間をあけて再給紙搬送部３０から給紙された１枚目の用紙の裏面に第２印刷期間Ｐ２で２頁目の画像を印刷する。その後、１頁分の空き印刷期間をあけて再給紙搬送部３０から給紙された２枚目の用紙の裏面に第２印刷期間Ｐ２で４頁目の画像を印刷した後、１頁分の空き印刷期間をあけて再給紙搬送部３０から給紙された３枚目の用紙の裏面に第２印刷期間Ｐ２で６頁目の画像を印刷する。
【００５５】
この場合は、給紙合計枚数が３枚で、印刷を開始してから１枚目の用紙の裏面に画像を印刷するまでに給紙部２５によって給紙される用紙の枚数も３枚となる。また、３枚目の用紙の表面に画像を印刷してから、１枚目の用紙の裏面に画像を形成するまでに２頁分の空き印刷期間が存在する。このため、上記条件を満たすものとなる。
【００５６】
以上のことから、図４（Ａ），（Ｂ），（Ｃ）に示す方式で両面印刷を行なう画像形成装置１にあたっては、上記所定枚数が２枚に設定される。また、図４（Ａ），（Ｂ），（Ｄ）に示す方式で両面印刷を行なう画像形成装置１にあたっては、上記所定枚数が３枚に設定される。さらに、図示はしないが、給紙合計枚数が４枚の場合でも、上記条件を満たす画像形成装置１にあたっては、上記所定枚数が４枚に設定される。
【００５７】
両面印刷の方式は、画像形成装置１のマシン構成（用紙搬送路の長さなど）のほかに、印刷期間の設定長を決める用紙のサイズ（用紙搬送方向の用紙長さ）や種類によっても変わる場合がある。そうした場合は、予め用紙のサイズや種類ごとに所定枚数の値を規定したテーブルデータを、例えば画像形成装置１が備える不揮発性メモリ等に記憶しておき、画像形成制御部４１は、そのテーブルデータから用紙のサイズに適した所定枚数の値を読み出して上記ステップＳ３の判断処理を行なうようにすればよい。
【００５８】
上記ステップＳ３において、給紙合計枚数が所定枚数を超える場合、画像形成制御部４１は、通常処理にしたがって両面印刷を行なう。両面印刷の通常処理では、給紙合計枚数が複数枚である場合に、給紙部２５による用紙の給紙を１頁分の空き印刷期間をあけて順に行なうとともに、時間軸上で第１印刷期間Ｐ１と第２印刷期間Ｐ２の並び順を印刷開始から印刷終了まで入れ替えることなく、第１印刷期間Ｐ１で用紙の第１面（表面）に画像を印刷し、かつ第２印刷期間Ｐ２で用紙の第２面（裏面）に画像を印刷する方式が適用される。また、この通常処理では、第１面への画像の印刷を終えて、反転搬送部２９から再給紙搬送部３０へと送り込まれた用紙を、当該再給紙搬送部３０の下流側で一時停止させた後、転写時刻に合わせて再給紙搬送部３０から転写部１８に向けて用紙を搬送することにより、当該用紙の第２面に画像を印刷する。
【００５９】
上記ステップＳ３において、給紙合計枚数が所定枚数以下の場合、画像形成制御部４１は、変数ｍの値をゼロ（零）にリセットした後（ステップＳ４）、変数ｍの値が上記給紙合計枚数ｎの値に一致するかどうかを判断する（ステップＳ５）。そして、変数ｍの値が給紙合計枚数ｎの値に一致しないと判断すると、給紙部２５によって給紙した用紙の第１面に画像を印刷するように制御する（ステップＳ６）。次に、画像形成制御部４１は、変数ｍの値を１インクリメントした後（ステップＳ７）、上記ステップＳ５に戻る。これにより、給紙部２５によって給紙されたｎ枚の用紙の第１面にそれぞれに対応する頁の画像が印刷されることになる。この場合、給紙部２５による用紙の給紙は、上記通常処理と同様に、１頁分の空き印刷期間をあけて順に行なわれる。また、各々の用紙の第１面への画像の印刷は、すべて第１印刷期間Ｐ１に行なわれる。
【００６０】
その後、上記ステップＳ５において、変数ｍの値が上記給紙合計枚数ｎの値に一致すると、画像形成制御部４１は、時間軸上で第１印刷期間Ｐ１と第２印刷期間Ｐ２の並び順を入れ替える（ステップＳ８）。これにより、ｎ枚目の用紙の第１面に画像を印刷した段階で、それ以降の印刷期間の並び順が、Ｐ２→Ｐ１→Ｐ２→Ｐ１→…の順から、Ｐ１→Ｐ２→Ｐ１→Ｐ２→…の順に入れ替えられる。つまり、ｎ枚目の用紙の第１面に画像を印刷した以降は、通常処理の場合と比較して、時間軸上における第１印刷期間Ｐ１と第２印刷期間Ｐ２の並び位置が反転したものとなる。このため、ｎ枚目の用紙の第１面に画像を印刷した印刷期間とその次の印刷期間がいずれも第１印刷期間Ｐ１で連続することになる。
【００６１】
次に、画像形成制御部４１は、変数ｍの値をゼロにリセットした後（ステップＳ９）、変数ｍの値が給紙合計枚数ｎの値に一致するかどうかを判断する（ステップＳ１０）。そして、変数ｍの値が給紙合計枚数ｎの値に一致しないと判断すると、再給紙搬送部３０から再給紙された用紙の第２面に画像を印刷するように制御する（ステップＳ１１）。次に、画像形成制御部４１は、変数ｍの値を１インクリメントした後（ステップＳ１２）、上記ステップＳ１０に戻る。また、上記ステップＳ１０において、変数ｍの値が給紙合計枚数ｎの値に一致すると、その段階で画像形成制御部４１は一連の処理を終了する。これにより、再給紙搬送部３０から再給紙されたｎ枚の用紙の第２面にそれぞれに対応する頁の画像が印刷されることになる。
【００６２】
図５は両面印刷の給紙合計枚数が１枚の場合の具体的な処理形態を示す図である。まず、本発明の実施形態を適用しない通常処理の場合は、図５（Ａ）に示すように、上記図４（Ａ）を用いて説明した場合と同様の手順で１枚の用紙の両面に画像が印刷される。
【００６３】
これに対して、本発明の実施形態を適用した場合は、図５（Ｂ）に示すように、給紙部２５によって給紙された１枚目の用紙の表面に第１印刷期間Ｐ１で１頁目の画像を印刷した後、印刷期間Ｐ１，Ｐ２の並び順を入れ替える。そして、１枚目の用紙の表面に１頁目の画像を印刷した後は、３頁分の空き印刷期間をあけて再給紙搬送部３０から給紙された１枚目の用紙の裏面に第２印刷期間Ｐ２で２頁目の画像を印刷する。このため、通常処理の場合に比較すると、１枚目の用紙の裏面に画像を印刷する時刻が、１頁分の印刷期間に相当する時間だけ早くなる。したがって、１枚目印刷所要時間が通常処理に比較して短くなり、印刷総所要時間も通常処理に比較して短くなる。
【００６４】
また、本発明の応用例として、画像形成制御部４１は、図５（Ｃ）に示すように、ｎ枚目に相当する１枚目の用紙の第２面（裏面）に画像を印刷する時刻を通常処理の場合よりも早く設定する構成としてもよい。
【００６５】
具体的には、画像形成制御部４１は、１枚目の用紙の第２面に２頁目の画像を印刷する場合に、再給紙搬送部３０で１枚目の用紙を一時停止させる時間を通常処理の場合よりも短くするか、再給紙搬送部３０で１枚目の用紙を一時停止させることなく、１枚目の用紙を転写部１８に向けて搬送するように制御することで、１枚目の用紙の第２面に画像を印刷する時刻が通常処理の場合よりも早くなる。
【００６６】
また、それとは別に、又はそれとの組み合わせで、画像形成制御部４１は、１枚目の用紙の第２面に２頁目の画像を印刷する場合に、第１面への画像の印刷を終えた１枚目の用紙を再給紙搬送部３０で通常処理よりも高速に搬送するように制御することでも、１枚目の用紙の第２面に画像を印刷する時刻が通常処理の場合よりも早くなる。
【００６７】
図６は両面印刷の給紙合計枚数が１枚のときに本発明の実施形態の処理を適用した場合の画像形成装置１の状態遷移を示す図である。なお、画像形成装置１の各部の位置関係は上記図１と同様であるため、図６では各部の符号表記を省略している。
【００６８】
まず、図６（Ａ）に示すように、第１面への画像の印刷（転写・定着）を終えた１枚目の用紙を反転搬送部２９へと搬送する。次に、図６（Ｂ）に示すように、再給紙搬送部３０の下流側で１枚目の用紙を一時停止させる。その後、図６（Ｃ）に示すように、再給紙搬送部３０から転写部１８に向けて１枚目の用紙を給紙する。
【００６９】
この場合、片面印刷の場合と比較すると、図６（Ａ）の段階は、片面印刷で２枚目の用紙に画像を転写中でかつ３枚目の用紙を給紙している段階に対応するものとなる。また、図６（Ｂ）の段階は、片面印刷で３枚目の用紙に画像を転写中の段階に対応し、図６（Ｃ）の段階は、片面印刷で５枚目の用紙を転写部１８に向けて搬送する段階に対応するものとなる。
【００７０】
図７は両面印刷の給紙合計枚数が２枚の場合の具体的な処理形態を示す図である。まず、本発明の実施形態を適用しない通常処理の場合は、図７（Ａ）に示すように、上記図４（Ｂ）を用いて説明した場合と同様の手順で２枚の用紙の両面に画像が印刷される。
【００７１】
これに対して、本発明の実施形態を適用した場合は、図７（Ｂ）に示すように、給紙部２５によって給紙された１枚目の用紙の表面に第１印刷期間Ｐ１で１頁目の画像を印刷する。次に、１枚目の用紙との間に１頁分の空き印刷期間をあけて給紙部２５により給紙された２枚目の用紙の表面に第１印刷期間Ｐ１で３頁目の画像を印刷した後、印刷期間Ｐ１，Ｐ２の並び順を入れ替える。そして、２枚目の用紙の表面に３頁目の画像を印刷した後は、１頁分の空き印刷期間をあけて再給紙搬送部３０から給紙された１枚目の用紙の裏面に第２印刷期間Ｐ２で２頁目の画像を印刷する。次に、１頁分の空き印刷期間をあけて再給紙搬送部３０から給紙された２枚目の用紙の裏面に第２印刷期間Ｐ２で４頁目の画像を印刷する。このため、通常処理の場合に比較すると、１枚目の用紙の裏面に画像を印刷する時刻と、２枚目の用紙の裏面に画像を印刷する時刻が、それぞれ１頁分の印刷期間に相当する時間ずつ早くなる。したがって、１枚目印刷所要時間が通常処理に比較して短くなり、印刷総所要時間も通常処理に比較して短くなる。
【００７２】
また、本発明の応用例として、画像形成制御部４１は、図７（Ｃ）に示すように、ｎ枚目に相当する２枚目の用紙の第２面（裏面）に画像を印刷する時刻を通常処理の場合よりも早く設定する構成としてもよい。
【００７３】
具体的には、画像形成制御部４１は、２枚目の用紙の第２面に４頁目の画像を印刷する場合に、再給紙搬送部３０で２枚目の用紙を一時停止させる時間を通常処理の場合よりも短くするか、再給紙搬送部３０で２枚目の用紙を一時停止させることなく、２枚目の用紙を転写部１８に向けて搬送するように制御することで、２枚目の用紙の第２面に画像を印刷する時刻が通常処理の場合よりも早くなる。
【００７４】
また、それとは別に、又はそれとの組み合わせで、画像形成制御部４１は、２枚目の用紙の第２面に４頁目の画像を印刷する場合に、第１面への画像の印刷を終えた２枚目の用紙を再給紙搬送部３０で通常処理よりも高速に搬送するように制御することでも、２枚目の用紙の第２面に画像を印刷する時刻が通常処理の場合よりも早くなる。
【００７５】
図８及び図９は両面印刷の給紙合計枚数が２枚のときに本発明の実施形態の処理を適用した場合の画像形成装置１の状態遷移を示す図である。なお、画像形成装置１の各部の位置関係は上記図１と同様であるため、図８及び図９では各部の符号表記を省略している。
【００７６】
まず、図８（Ａ）に示すように、第１面への画像の印刷（転写・定着）を終えた１枚目の用紙を反転搬送部２９へと搬送する一方、１枚目の用紙との間に１頁分の空き印刷期間に対応する間隔を空けて給紙部２５により２枚目の用紙を給紙する。次に、図８（Ｂ）に示すように、２枚目の用紙の第１面に画像を転写する一方、１枚目の用紙を再給紙搬送部３０の下流側で一時停止させる。次に、図８（Ｃ）に示すように、再給紙搬送部３０から転写部１８に向けて１枚目の用紙を給紙する一方、第１面への画像の印刷を終えた２枚目の用紙を反転搬送部２９へと搬送する。
【００７７】
次に、図９（Ａ）に示すように、１枚目の用紙の第２面に画像を転写する一方、２枚目の用紙を再給紙搬送部３０の下流側で一時停止させる。次に、図９（Ｂ）に示すように、両面印刷を終えた１枚目の用紙を排出部３１によって排出する一方、再給紙搬送部３０から転写部１８に向けて２枚目の用紙を給紙する。次に、図９（Ｃ）に示すように、２枚目の用紙の第２面に画像を転写する。
【００７８】
この場合、片面印刷の場合と比較すると、上記図８（Ａ）の段階は、片面印刷で２枚目の用紙に画像を転写中でかつ３枚目の用紙を給紙している段階に対応するものとなる。また、上記図８（Ｂ）の段階は、片面印刷で３枚目の用紙に画像を転写中の段階に対応し、図８（Ｃ）の段階は、片面印刷で５枚目の用紙を転写部１８に向けて搬送する段階に対応するもとなる。
【００７９】
一方、図９（Ａ）の段階は、片面印刷で５枚目の用紙に画像を転写中で、かつ７枚目の用紙の給紙を開始した段階に対応するものなる。また、図９（Ｂ）の段階は、片面印刷で７枚目の用紙を転写部１８に向けて搬送する段階に対応するものとなり、図９（Ｃ）の段階は、片面印刷で７枚目の用紙に画像を転写中の段階に対応するものとなる。
【００８０】
図１０は両面印刷の給紙合計枚数が３枚の場合の具体的な処理形態を示す図である。まず、本発明の実施形態を適用しない通常処理の場合は、図１０（Ａ）に示すように、上記図４（Ｄ）を用いて説明した場合と同様の手順で３枚の用紙の両面に画像が印刷される。
【００８１】
これに対して、本発明の実施形態を適用した場合は、図１０（Ｂ）に示すように、給紙部２５によって給紙された１枚目の用紙の表面に第１印刷期間Ｐ１で１頁目の画像を印刷した後、１枚目の用紙との間に１頁分の空き印刷期間をあけて給紙部２５により給紙された２枚目の用紙の表面に第１印刷期間Ｐ１で３頁目の画像を印刷する。次に、２枚目の用紙との間に１頁分の空き印刷期間をあけて給紙部２５により給紙された３枚目の用紙の表面に第１印刷期間Ｐ１で５頁目の画像を印刷した後、印刷期間Ｐ１，Ｐ２の並び順を入れ替える。そして、３枚目の用紙の表面に５頁目の画像を印刷した後は、１頁分の空き印刷期間をあけて再給紙搬送部３０から給紙された１枚目の用紙の裏面に第２印刷期間Ｐ２で２頁目の画像を印刷する。
【００８２】
その後、１頁分の空き印刷期間をあけて、再給紙搬送部３０から給紙された２枚目の用紙の裏面に第２印刷期間Ｐ２で４頁目の画像を印刷した後、１頁分の空き印刷期間をあけて、再給紙搬送部３０から給紙された３枚目の用紙の裏面に第２印刷期間Ｐ２で６頁目の画像を印刷する。このため、通常処理の場合に比較すると、１枚目の用紙の裏面に画像を印刷する時刻と、２枚目の用紙の裏面に画像を印刷する時刻と、３枚目の用紙の裏面に画像を印刷する時刻が、それぞれ１頁分の印刷期間に相当する時間ずつ早くなる。したがって、１枚目印刷所要時間が通常処理に比較して短くなり、印刷総所要時間も通常処理に比較して短くなる。
【００８３】
また、本発明の応用例として、画像形成制御部４１は、図１０（Ｃ）に示すように、ｎ枚目に相当する３枚目の用紙の第２面（裏面）に画像を印刷する時刻を通常処理の場合よりも早く設定する構成としてもよい。
【００８４】
具体的には、画像形成制御部４１は、３枚目の用紙の第２面に６頁目の画像を印刷する場合に、再給紙搬送部３０で３枚目の用紙を一時停止させる時間を通常処理の場合よりも短くするか、再給紙搬送部３０で３枚目の用紙を一時停止させることなく、３枚目の用紙を転写部１８に向けて搬送するように制御することで、３枚目の用紙の第２面に画像を印刷する時刻が通常処理の場合よりも早くなる。
【００８５】
また、それとは別に、又はそれとの組み合わせで、画像形成制御部４１は、３枚目の用紙の第２面に６頁目の画像を印刷する場合に、第１面への画像の印刷を終えた３枚目の用紙を再給紙搬送部３０で通常処理よりも高速に搬送するように制御することでも、３枚目の用紙の第２面に画像を印刷する時刻が通常処理の場合よりも早くなる。
【００８６】
図１１〜図１３は両面印刷の給紙合計枚数が３枚のときに本発明の実施形態の処理を適用した場合の画像形成装置１の状態遷移を示す図である。なお、画像形成装置１の各部の位置関係は上記図１と同様であるため、図１１〜図１３では各部の符号表記を省略している。
【００８７】
まず、図１１（Ａ）に示すように、第１面への画像の印刷（転写・定着）を終えた１枚目の用紙を反転搬送部２９へと搬送する一方、１枚目の用紙との間に１頁分の空き印刷期間に対応する間隔を空けて給紙部２５により給紙された２枚目の用紙に画像を転写し、かつ２枚目の用紙との間に１頁分の空き印刷期間に対応する間隔を空けて給紙部２５により３枚目の用紙を給紙する。次に、図１１（Ｂ）に示すように、３枚目の用紙の第１面に画像を転写する一方、２枚目の用紙を反転搬送部２９へと搬送し、かつ１枚目の用紙を再給紙搬送部３０の下流側で一時停止させる。次に、図１１（Ｃ）に示すように、再給紙搬送部３０から転写部１８に向けて１枚目の用紙を給紙する一方、第１面への画像の印刷を終えた２枚目の用紙を反転搬送部２９へと搬送し、かつ第１面への画像の転写を終えた３枚目の用紙を定着部１９へと搬送する。
【００８８】
次に、図１２（Ａ）に示すように、１枚目の用紙の第２面に画像を転写する一方、２枚目の用紙を再給紙搬送部３０の下流側で一時停止させ、かつ第１面への画像の印刷を終えた３枚目の用紙を反転搬送部２９へと搬送する。次に、図１２（Ｂ）に示すように、第２面への画像の転写を終えた１枚目の用紙を定着部１９に搬送する一方、再給紙搬送部３０から転写部１８に向けて２枚目の用紙を給紙し、かつ反転搬送部２９で３枚目の用紙の搬送方向を反転させる。次に、図１２（Ｃ）に示すように、両面印刷を終えた１枚目の用紙を排出部３１へと搬送する一方、２枚目の用紙の第２面に画像を転写し、かつ３枚目の用紙を再給紙搬送部３０の下流側に一時停止させる。
【００８９】
次に、図１３（Ａ）に示すように、両面印刷を終えた１枚目の用紙を排出部３１によって排出する一方、第２面への画像の転写を終えた２枚目の用紙を定着部１９に搬送し、かつ再給紙搬送部３０から転写部１８に向けて３枚目の用紙を給紙する。次に、図１３（Ｂ）に示すように、両面印刷を終えた２枚目の用紙を排出部３１へと搬送する一方、３枚目の用紙の第２面に画像を転写する。
【００９０】
この場合、片面印刷の場合と比較すると、上記図１１（Ａ）の段階は、片面印刷で３枚目の用紙に画像を転写中でかつ５枚目の用紙を給紙している段階に対応するものとなる。また、上記図１１（Ｂ）の段階は、片面印刷で５枚目の用紙に画像を転写中の段階に対応し、図１１（Ｃ）の段階は、片面印刷で７枚目の用紙を転写部１８に向けて搬送する段階に対応するもとなる。
【００９１】
一方、図１２（Ａ）の段階は、片面印刷で７枚目の用紙に画像を転写中で、かつ９枚目の用紙の給紙を開始した段階に対応するものなる。また、図１２（Ｂ）の段階は、片面印刷で９枚目の用紙を転写部１８に向けて搬送する段階に対応するものとなり、図１２（Ｃ）の段階は、片面印刷で９枚目の用紙に画像を転写中の段階に対応するものとなる。
【００９２】
さらに、図１３（Ａ）の段階は、片面印刷で１１枚目の用紙を給紙している段階に対応し、図１３（Ｂ）の段階は、片面印刷で１１枚目の用紙に画像を転写中の段階に対応するものとなる。
【図面の簡単な説明】
【００９３】
【図１】本発明が適用される電子写真式の画像形成装置の構成例を示す概略図である。
【図２】本発明の実施形態に係る画像形成装置の制御構成の一例を示すブロック図である。
【図３】本発明の実施形態に係る画像形成装置の処理動作の一例を示すフローチャートである。
【図４】両面印刷の具体的な例を説明する図である。
【図５】両面印刷の給紙合計枚数が１枚の場合の具体的な処理形態を示す図である。
【図６】両面印刷の給紙合計枚数が１枚のときに本発明の実施形態の処理を適用した場合の画像形成装置の状態遷移を示す図である。
【図７】両面印刷の給紙合計枚数が２枚の場合の具体的な処理形態を示す図である。
【図８】両面印刷の給紙合計枚数が２枚のときに本発明の実施形態の処理を適用した場合の画像形成装置の状態遷移を示す図（その１）である。
【図９】両面印刷の給紙合計枚数が２枚のときに本発明の実施形態の処理を適用した場合の画像形成装置の状態遷移を示す図（その２）である。
【図１０】両面印刷の給紙合計枚数が３枚の場合の具体的な処理形態を示す図である。
【図１１】両面印刷の給紙合計枚数が３枚のときに本発明の実施形態の処理を適用した場合の画像形成装置の状態遷移を示す図（その１）である。
【図１２】両面印刷の給紙合計枚数が３枚のときに本発明の実施形態の処理を適用した場合の画像形成装置の状態遷移を示す図（その２）である。
【図１３】両面印刷の給紙合計枚数が３枚のときに本発明の実施形態の処理を適用した場合の画像形成装置の状態遷移を示す図（その３）である。
【符号の説明】
【００９４】
１…画像形成装置、３…画像形成部、４…用紙搬送装置、１７…中間転写ベルト、１８…転写部、１９…定着部、２５…給紙部、２９…反転搬送部、３０…再給紙搬送部、４１…画像形成制御部
【図１】
0005151321.tif 000002
【図２】
0005151321.tif 000003
【図３】
0005151321.tif 000004
【図４】
0005151321.tif 000005
【図５】
0005151321.tif 000006
【図６】
0005151321.tif 000007
【図７】
0005151321.tif 000008
【図８】
0005151321.tif 000009
【図９】
0005151321.tif 000010
【図１０】
0005151321.tif 000011
【図１１】
0005151321.tif 000012
【図１２】
0005151321.tif 000013
【図１３】
0005151321.tif 000014